(57)【要約】【課題】  ブロック塀上に任意の長さで一体的に取付けることが容易にでき、視覚的威圧感にも優れ、しかも、設置コストが非常に低廉化できる外壁乗越え防止用忍返しを提供すること。【解決手段】  ブロック塀Ｂの上端部に冠着可能に断面が略台形状に成形された合成樹脂製の角筒体であって、上面には多数の槍状突起11・11…を有する忍返し本体１と；ブロック塀Ｂ上に縦列状に冠着列置される隣同士の忍返し本体１と１とを連結するジョイナー２と；ブロック塀Ｂと忍返し本体１とを接続して忍返し本体１の取外しを阻止する固定部材３とから構成した。【選択図】  図１
0003116934.tif 000002
【実用新案登録請求の範囲】
【請求項１】
ブロック塀Ｂの上端部に冠着可能に断面が略台形状に成形された合成樹脂製の角筒体であって、上面には多数の槍状突起11・11…を有する忍返し本体１と；ブロック塀Ｂ上に縦列状に冠着列置される隣同士の忍返し本体１と１とを連結するジョイナー２と；ブロック塀Ｂと忍返し本体１とを接続して忍返し本体１の取外しを阻止する固定部材３とから構成されることを特徴とする外壁乗越え防止用忍返し。
【請求項２】
忍返し本体１が、槍状突起11・11…を具備して一体成形された筒状部材12と、板体両側に側板が形成されたコ字形の断面を有する嵌込部材13とを接続して成ることを特徴とする請求項１記載の外壁乗越え防止用忍返し。
【請求項３】
ジョイナー２に、上面に複数の凸部21を備えた板体が用られているとともに、忍返し本体１には、前記板体が係止可能な嵌合溝14が形成されていることを特徴とする請求項１または２に記載の外壁乗越え防止用忍返し。
【請求項４】
固定部材３として、塗布式の接着材が用いられていることを特徴とする請求項１〜３の何れか一つに記載の外壁乗越え防止用忍返し。
【請求項５】
忍返し本体１の中空内部に、重石材４が付設されていることを特徴とする請求項１〜４の何れか一つに記載の外壁乗越え防止用忍返し。
【考案の詳細な説明】
【技術分野】
【０００１】
本考案は、外壁乗越え防止用忍返しの改良、詳しくは、ブロック塀上に任意の長さで一体的に取付けることが容易にでき、しかも、設置コストが非常に低廉な外壁乗越え防止用忍返しに関するものである。
【背景技術】
【０００２】
周知の通り、泥棒等の犯罪者にブロック塀を乗越えて敷地内へと侵入されることを防ぐには、ブロック塀上への忍返しの設置が有効である。
【０００３】
そして、従来、このような忍返しとして、尖鋭な先端を有する金属棒を金属長板に一列に配設するとともに、各金属棒を塀上に埋設し、さらに、金属長板をブロック塀の両側面に接続可能な抑え枠で固定する技術が公知である(例えば、特許文献１参照)。
【０００４】
しかしながら、上記の技術においては、金属棒をブロック塀に埋設するために塀上面に挿入孔を掘設しなければならないだけでなく、抑え枠を塀側面と接続するためにブロック塀にビスを打ち込む作業が必要であったが、この作業には、専門職による高度の技巧が要求され、とても素人が簡単に取り付けできるものではなかった。
【０００５】
また、金属棒を金属長板に配設していたことから、忍返しを既存のブロック塀の長さに合わせて取り付けるためには、金属長板を任意の長さに切断せねばならず、その作業を業者に依頼しなければならなかったため、極めて面倒であった。
【０００６】
そしてまた、このタイプの忍返しは注文者に応じて個別的に作製されていたため、部材費が高価に成り易く、気軽に設置できる忍返しとは云えなかった。
【０００７】
そして、従来における忍返しとしては、上面に複数の突出片を羅列させた比較的小型の金属板を塀上に列設する技術も知られている（例えば、特許文献２参照）。
【０００８】
しかしながら、上記の忍返しにおいては、各金属板が一体性なく一つずつ固定されていたため、一部の金属板だけが外れてしまうようなことがあり、しかも、一部の金属板を強引に取り外すことも比較的容易であったため、外れた部分から侵入されてしまう虞れが高く、その防犯性に関して不満があった。
【０００９】
また、この忍返しは、板上に小型の突出片が羅列しているだけであったことから、突出片の位置が低過ぎてブロック塀の下からはほとんど見えず、侵入を狙う者に対して視覚的な威圧感を与えることができなかった。
【特許文献１】公開実用新案Ｓ５９−１２３７３号公報（第１−６頁、第１〜４図）
【特許文献２】特開２００３−３２８５９９号公報（第１−３頁、第１〜９図）
【考案の開示】
【考案が解決しようとする課題】
【００１０】
本考案は、上記の如き問題に鑑みて為されたものであり、その目的とするところは、ブロック塀上に任意の長さで一体的に取付けることが容易にでき、視覚的威圧感にも優れ、しかも、設置コストが非常に低廉な外壁乗越え防止用忍返しを提供することにある。
【課題を解決するための手段】
【００１１】
本考案者が、上記課題を解決するために採用した手段を添付図面を参照して説明すれば次のとおりである。
【００１２】
即ち、本考案は、ブロック塀Ｂの上端部に冠着可能に断面が略台形状に成形された合成樹脂製の角筒体であって、上面には多数の槍状突起11・11…を有する忍返し本体１と；ブロック塀Ｂ上に縦列状に冠着列置される隣同士の忍返し本体１と１とを連結するジョイナー２と；ブロック塀Ｂと忍返し本体１とを接続して忍返し本体１の取外しを阻止する固定部材３とから構成した点に特徴がある。
【００１３】
また、本考案においては、上記課題を解決するために、必要に応じて上記手段に加え、忍返し本体１が、槍状突起11・11…を具備して一体成形された筒状部材12と、板体両側に側板が形成されたコ字形の断面を有する嵌込部材13とを接続して作製するという技術的手段を採用することができる。
【００１４】
また、本考案においては、上記課題を解決するために、必要に応じて上記手段に加え、ジョイナー２に、上面に複数の凸部21を備えた板体を採用し、忍返し本体１には、前記板体が係止可能な嵌合溝14を形成するという技術的手段を採用することができる。
【００１５】
また、本考案においては、上記課題を解決するために、必要に応じて上記手段に加え、固定部材３に、塗布式の接着材を採用するという技術的手段を採用することができる。
【００１６】
また、本考案においては、上記課題を解決するために、必要に応じて上記手段に加え、忍返し本体１の中空内部に重石材４を挿入して付設するという技術的手段を採用することができる。
【考案の効果】
【００１７】
本考案の忍返しにおいては、複数の忍返し本体をブロック塀上に列設するとともに、各忍返し本体をジョイナーにより連結して構成したことから、一体的に忍返しを設置することができるため、忍返しの一部が外れたり、容易に取外されたりするようなことはない。
【００１８】
さらに、忍返し本体を合成樹脂材料によって、筒状に形成したことにより、忍返し本体を軽量化できるのは勿論、鋸等で忍返し本体を任意の長さに簡単に切断することができるため、ブロック塀上に忍返しを隙間なく設置することができる。
【００１９】
加えて、忍返し本体を合成樹脂材料で作製したことによって、一体成形による大量生産が可能となり忍返し本体を安価に提供できることから、設置コストを低廉化することができる。
【００２０】
また、接着材又は粘着テープ等の固定部材によって忍返し本体をブロック塀の上面に接続したことによって、ブロック塀の掘削等、専門職による高度の技巧が要求される作業が不要となり、素人でも簡単に取付けを行うことができる。
【００２１】
そしてさらに、忍返し本体を略台形状の断面を有した基台上部に突起を形成した形態としたことから、突起が基台の高差分だけ上方に配置されることとなり、ブロック塀の下からでもはっきりと突起が見えるため、侵入を狙う者に対して視覚的威圧感を与えることができる。
【００２２】
したがって、本考案により、既設のブロック塀上に任意の長さで取付けができるとともに、その取付けは容易で、しかも、防犯性に優れた忍返しを提供することができるため、本考案の実用的利用価値は頗る高い。
【考案を実施するための最良の形態】
【００２３】
本考案を実施するための最良の形態を具体的に図示した図面に基づいて更に詳細に説明すると、次のとおりである。
【００２４】
『第１実施形態』
まず、本考案の第１実施形態について、図１から図３に基いて説明する。まず、符号１で指示するものは、合成樹脂材料で作製された忍返し本体であり、符号２で指示するものは、ジョイナーである。次に、符号３で指示するものは、固定部材であり、符号４で指示するものは、重石材である。
【００２５】
しかして、本実施形態の構成を以下に説明する。まず、ブロック塀Ｂの上端部に冠着可能であり、かつ、断面は略台形状で、上面には多数の槍状突起11・11…を有した合成樹脂製の角筒体を忍返し本体１として作製する（図１、２参照）。
【００２６】
本実施形態においては、断面が略台形状で中空部を有した基台の上部に複数の円錐型の槍状突起11・11…を具備した形状の筒状部材12を合成樹脂材料により作製した。そして、この筒状部材12の底面と同じ大きさの板体両側に、側板を備えた断面がコ字形状の嵌込部材13を作製し、この筒状部材12及び嵌込部材13をビス15によって接続して簡単に忍返し本体１を形成した。
【００２７】
そして、上面に複数の凸部21・21…が突設された板体をジョイナー２として作製すると同時に、このジョイナー２の形状に対応した嵌合溝14を忍返し本体１の嵌込部材13に設けて忍返し本体１・１同士を連結可能にした（図３参照）。ちなみに、このジョイナー２による連結においては、接着材を用いることにより、その連結をさらに強固なものとしてもよい。
【００２８】
加えて、固定部材３として、塗布式の接着材を採用し、この接着材をブロック塀Ｂの上面に塗布した後、忍返し本体１の嵌込部材13を冠着させて、忍返し本体１とブロック塀Ｂとを接続した。
【００２９】
上記のように構成したことによって、忍返し本体１をブロック塀Ｂ上に縦列し、個々の忍返し本体１をジョイナー２によってそれぞれ連結して、一体的な忍返しを形成しているため、忍返しの一部が外れたり、容易に取外されたりすることはない。
【００３０】
加えて、忍返し本体１を合成樹脂材料で一体成形して作製したことによって、大量生産が可能となり、忍返し本体１を安価に提供できることから、忍返しの設置コストを低廉化することができる。
【００３１】
また、塗布式の接着材を固定部材３として用いたことにより、ブロック塀Ｂの掘削等、専門職による高度の技巧が要求される作業が不要となるため、素人でも簡単に設置作業を行うことができる。
【００３２】
そしてさらに、忍返し本体１を略台形状の断面を有した基台上部に突起群11・11…を設けた形状にしたことから、突起群11・11…が基台の高差分だけ上方に配置されることとなり、ブロック塀Ｂの下からでもはっきりと突起11が見えるため、侵入を狙う者に対して視覚的な威圧感を与えることができる。
【００３３】
また、本実施形態では、忍返し本体１の設置後、重石材４を中空内部に挿入して付設したことによって、設置後の忍返し本体１の重さを格段に増加させている。これにより、忍返し本体１を上方に持ち上げて強引に取り外そうとしても、持ち上げることが容易でないため、忍返し本体１の取外しを阻止することができる。なお、本実施形態では、重石材４として忍返し本体１の中空内部に挿入可能な大きさのレンガを使用している。
【００３４】
そしてまた、本実施形態においては、嵌込部材13によって筒状部材12を被覆できるような形状で両者を作製したことにより、運搬時等に筒状部材12の槍状突起11・11…が露出しない形態へと変更することができるため、非常に安全である（図４参照）。
【００３５】
『第２実施形態』
次に、本考案の第２実施形態ついて、図５に基いて説明する。本実施形態においては、ジョイナー２に忍返し本体１が数個縦列した長さを有した長棒体を用いるとともに、この長棒体を挿通可能な貫通孔を忍返し本体１に設けた。これにより、この長棒体を複数の忍返し本体１に挿通することによって、忍返し本体１を数珠繋ぎ状に簡単に連結することができる。
【００３６】
また、本実施形態においては、忍返し本体１とブロック塀Ｂとを接続する固定部材３として両面に粘着性を有するテープ材を採用した。これにより、刷毛等の道具を使用しなくとも簡単に忍返し本体１とブロック塀Ｂとを接続することができる。
【００３７】
『第３実施形態』
次に、本考案の第３実施形態ついて、図６に基いて説明する。本実施形態においては、忍返し本体１の槍状突起11の形状を、より威圧的な見栄えのする角錐状に形成した。
【００３８】
また、本実施形態では、筒状部材12の下部を収納可能な受け皿状に嵌込部材13の上部を形成し、さらに、この受け皿部分の側部から両者を貫いてネジ部材16を挿通し、このネジ材16をナット17で固定することによって、筒状部材12と嵌込部材13とをより強固に接続できるようにした。
【００３９】
加えて、ジョイナー２に棒片を用いるとともに、この棒片の半領域分の嵌合孔を嵌込体11の連結面両側に夫々設けることにより、簡単な構造で忍返し本体１を連結できる仕組みを形成した。
【００４０】
本考案は、概ね上記のように構成されるが、図示の実施形態に限定されるものでは決してなく、「実用新案登録請求の範囲」の記載内において種々の変更が可能であって、例えば、忍返し本体１の作製に用いる合成樹脂材料は、射出成形可能で硬質性を有した樹脂であれば何れを選択してもよい。
【００４１】
また同様に、忍返し本体１の中空内部に付設する重石材４はレンガでなくとも、砂利や鉛体等、重量が比較的大きく忍返し本体１の中空内部に挿入できるものならば何れを選択してもよく、これらは何れも本考案の技術的範囲に属する。
【産業上の利用可能性】
【００４２】
最近では、治安が悪化したことにより、店舗や企業に限らず一般家庭においても泥棒等が外壁を越えて敷地内へと侵入してくる危険性が高くなってきている。ところが、このような泥棒等の侵入を防ぐために、一般家庭の外壁においても忍返しを取り付ける必要があるにもかかわらず、未だに防犯器具としての機能性に優れ、かつ、手軽に取り付けることのできる忍返しは非常に少ない。
【００４３】
もし、忍返しが各家庭の外壁に汎用的に設置されれば、泥棒等に侵入を躊躇させる忍返しの心理的作用によって、多くの犯罪を未然に防止できることは間違いない。
【００４４】
そのような中で、本考案の外壁乗越え防止用忍返しは、忍返しとしての機能性に優れるだけでなく、取付けを手軽に行うことができ、しかも、その取付けに係るコストを低廉化できることから、一般家庭からの需要にも応えることができるため、産業上の利用価値は非常に高いと云える。
【図面の簡単な説明】
【００４５】
【図１】本考案の第１実施形態における外壁乗越え防止用忍返しを表わす全体斜視図である。
【図２】本考案の第１実施形態における忍返し本体及びジョイナーを表わす部分斜視図である。
【図３】本考案の第１実施形態における外壁乗越え防止用忍返しの連結状態を表わす状態断面図である。
【図４】本考案の第１実施形態における外壁乗越え防止用忍返しの運搬時の状態を表わす状態斜視図である。
【図５】本考案の第２実施形態におけるジョイナー及び固定部材を表わす全体斜視図である。
【図６】本考案の第３実施形態における外壁乗越え防止用忍返しを表わす部分斜視図である。
【符号の説明】
【００４６】
１  忍返し本体
11  槍状突起
12  筒状部材
13  嵌込部材
14  嵌合溝
15  ビス
16  ネジ材
17  ナット
２  ジョイナー
21  凸部
３  固定部材
４  重石材
Ｂ  ブロック塀
【図１】
0003116934.tif 000003
【図２】
0003116934.tif 000004
【図３】
0003116934.tif 000005
【図４】
0003116934.tif 000006
【図５】
0003116934.tif 000007
【図６】
0003116934.tif 000008